(57)【要約】      （修正有）【課題】  小型化（薄型化）されてもフレキシブル基板を確実に保持することができ、高い接触信頼性が得られるフレキシブル基板用コネクタの提供。【解決手段】  フレキシブル基板１２の端子接続部が挿入される基板挿入部１３を有するハウジング１４と、ハウジング１４に保持される複数のコンタクト１５…とを備え、ハウジング１４は、基板挿入部１３と連続配置に基板支持部２０を備え、基板支持部２０の両側部に、抜け止め片２２と、抜け止め片２２の前面部より突出し、基板挿入間隙２１を介して底板１６と対向した浮き上がり防止片２３とを設け、端子接続部を基板挿入部１３に挿入し、幅狭部４１を基板支持部２０の両抜け止め片２２間に配置させた状態でフレキシブル基板１２を抜き去り方向に移動させることにより、フレキシブル基板の端子接続部後端部が基板挿入間隙２１に挿入され、抜け止め片２２に当接するようにした。【選択図】  図２
2006313654.tif 000002
【特許請求の範囲】
【請求項１】
底板と、該底板の周縁部に配置された側壁と、該側壁を介して前記底板に対向して配置された天板とをもって形成され、前記天板と底板との間にフレキシブル基板の端子接続部が挿入される基板挿入部を有するハウジングと、
前記ハウジングに保持される取付片部と、該取付片部の端部に支持された弾性接触片部とを一体に有し、該弾性接触片部が底板側から前記基板挿入部内に突出し、前記基板挿入部に挿入されるフレキシブル基板と弾性的に接触する複数のコンタクトとを備え、
該コンタクトを介して前記フレキシブル基板を被接続基板に接続させるようにしてなるフレキシブル基板用コネクタにおいて、
前記ハウジングは、前記基板挿入部の基板挿入方向手前側に、前記基板挿入部と連続配置に基板支持部を備え、該基板支持部の両側部に、前記端子接続部の後端縁部が抜き去り方向で当て止めされる抜け止め片と、該抜け止め片の前面部より前方に突出し、基板挿入間隙を介して前記底板と対向した浮き上がり防止片とを設け、
前記フレキシブル基板の端子接続部より後側に該端子接続部より幅の狭い幅狭部を設け、前記端子接続部を前記基板挿入部に挿入し、前記幅狭部を前記基板支持部の両抜け止め片間に配置させた状態で該フレキシブル基板を抜き去り方向に移動させることにより、前記フレキシブル基板の端子接続部後端部が前記基板挿入間隙に挿入され、前記抜け止め片に当接するようにしたことを特徴としてなるフレキシブル基板用コネクタ。
【請求項２】
前記天板は、開口側縁に斜め上向きの導入片部を有する請求項１に記載のフレキシブル基板用コネクタ。
【発明の詳細な説明】
【技術分野】
【０００１】
本発明は、ＦＰＣ等のフレキシブル基板とプリント配線基板等の被接続基板に接続させるためのフレキシブル基板用コネクタに関する。
【背景技術】
【０００２】
従来、ＦＰＣ等のフレキシブル基板と電子機器に内蔵された被実装基板との接続には、フレキシブル基板用コネクタを使用し、フレキシブル基板をコネクタに挿入し、コネクタを介してフレキシブル基板を電子機器の被実装基板に対して電気的に接続させるようになっている。
【０００３】
このフレキシブル基板用コネクタは、例えば、フレキシブル基板の端子部が挿入される基板挿入部を有するハウジングと、ハウジングに保持された複数のコンタクトとを備え、コンタクトの弾性接触片部が基板挿入部内に突出し、基板挿入部に挿入されたフレキシブル基板の端子部と接触することによって、コンタクトの接触圧によりフレキシブル基板をハウジングと弾性接触片との間に挟持するとともに、フレキシブル基板がコンタクトを介して被接続基板に電気的に接続されるようになっている（例えば、特許文献１を参照）。
【特許文献１】特開平１１−１１１４０３号公報
【発明の開示】
【発明が解決しようとする課題】
【０００４】
しかし、上述の如き従来の技術では、コネクタが小型化（薄型化）された場合、それに伴ってコンタクトも小型化されるので、コンタクトの接触圧、即ちフレキシブル基板を押さえる力が小さくなることから、コンタクトの接触圧のみではコネクタに対しフレキシブル基板の確実な位置決めができず、また、フレキシブル基板がコネクタから抜けやすくなり、コネクタとフレキシブル基板との接触信頼性が低下するという問題があった。
【０００５】
そこで本発明は、上述の従来技術の問題を鑑み、小型化（薄型化）されてもフレキシブル基板を確実に保持することができ、高い接触信頼性が得られるフレキシブル基板用コネクタの提供を目的とする。
【課題を解決するための手段】
【０００６】
上述の如き従来の問題を解決し、所期の目的を達成するための請求項１に記載の発明は、底板と、該底板の周縁部に配置された側壁と、該側壁を介して前記底板に対向して配置された天板とをもって形成され、前記天板と底板との間にフレキシブル基板の端子接続部が挿入される基板挿入部を有するハウジングと、前記ハウジングに保持される取付片部と、該取付片部の端部に支持された弾性接触片部とを一体に有し、該弾性接触片部が底板側から前記基板挿入部内に突出し、前記基板挿入部に挿入されるフレキシブル基板と弾性的に接触する複数のコンタクトとを備え、該コンタクトを介して前記フレキシブル基板を被接続基板に接続させるようにしてなるフレキシブル基板用コネクタにおいて、前記ハウジングは、前記基板挿入部の基板挿入方向手前側に、前記基板挿入部と連続配置に基板支持部を備え、該基板支持部の両側部に、前記端子接続部の後端縁部が抜き去り方向で当て止めされる抜け止め片と、該抜け止め片の前面部より前方に突出し、基板挿入間隙を介して前記底板と対向した浮き上がり防止片とを設け、前記フレキシブル基板の端子接続部より後側に該端子接続部より幅の狭い幅狭部を設け、前記端子接続部を前記基板挿入部に挿入し、前記幅狭部を前記基板支持部の両抜け止め片間に配置させた状態で該フレキシブル基板を抜き去り方向に移動させることにより、前記フレキシブル基板の端子接続部後端部が前記基板挿入間隙に挿入され、前記抜け止め片に当接するようにしてなるフレキシブル基板用コネクタであることを特徴とする。
【０００７】
請求項２に記載の発明は、請求項１の構成に加え、前記天板は、開口側縁に斜め上向きの導入片部を有することを特徴とする。
【発明の効果】
【０００８】
本発明に係るフレキシブル基板用コネクタは、底板と、該底板の周縁部に配置された側壁と、該側壁を介して前記底板に対向して配置された天板とをもって形成され、前記天板と底板との間にフレキシブル基板の端子接続部が挿入される基板挿入部を有するハウジングと、前記ハウジングに保持される取付片部と、該取付片部の端部に支持された弾性接触片部とを一体に有し、該弾性接触片部が底板側から前記基板挿入部内に突出し、前記基板挿入部に挿入されるフレキシブル基板と弾性的に接触する複数のコンタクトとを備え、該コンタクトを介して前記フレキシブル基板を被接続基板に接続させるようにしてなるフレキシブル基板用コネクタにおいて、前記ハウジングは、前記基板挿入部の基板挿入方向手前側に、前記基板挿入部と連続配置に基板支持部を備え、該基板支持部の両側部に、前記端子接続部の後端縁部が抜き去り方向で当て止めされる抜け止め片と、該抜け止め片の前面部より前方に突出し、基板挿入間隙を介して前記底板と対向した浮き上がり防止片とを設け、前記フレキシブル基板の端子接続部より後側に該端子接続部より幅の狭い幅狭部を設け、前記端子接続部を前記基板挿入部に挿入し、前記幅狭部を前記基板支持部の両抜け止め片間に配置させた状態で該フレキシブル基板を抜き去り方向に移動させることにより、前記フレキシブル基板の端子接続部後端部が前記基板挿入間隙に挿入され、前記抜け止め片に当接するようにしたことにより、コンタクトの接触圧が小さくとも、フレキシブル基板がコネクタより容易に抜けないようにすることができるとともに的確に位置決めすることができ、コネクタが小型化（薄型化）されても高い接触信頼性が得られる。更には、フレキシブル基板を抜き去り方向に移動させ、フレキシブル基板の端子接続部後端部を前記基板挿入間隙に挿入することでフレキシブル基板の装着を確認することができる。
【０００９】
また、前記天板は、開口側縁に斜め上向きの導入片部を有することにより、フレキシブル基板を好適に基板挿入部内に挿入することができる。
【発明を実施するための最良の形態】
【００１０】
次に、本発明に係るフレキシブル基板用コネクタについて説明する。
【００１１】
図１〜図３は、本発明に係るフレキシブル基板用コネクタの使用状態の一例を示し、図中符号１０はフレキシブル基板用コネクタ、符号１１は電気機器に内蔵された被接続基板、符号１２はＦＰＣ等のフレキシブル基板である。
【００１２】
フレキシブル基板用コネクタ１０は、フレキシブル基板１２が挿入される基板挿入部１３を有するハウジング１４と、ハウジング１４に保持された複数のコンタクト１５，１５…とを備え、基板挿入部１３に挿入されたフレキシブル基板１２がコンタクト１５，１５…を介して被接続基板１１に電気的に接続されるようになっている。
【００１３】
ハウジング１４は、底板１６と、底板１６の周縁部、即ち基板挿入方向に対して両側部及び奥側に配置された側壁１７，１７…と、側壁１７，１７を介して底板１６と対向配置された天板とをもって形成され、底板１６及び側壁１７，１７…を合成樹脂等の絶縁材からなるハウジング本体１８をもって一体に構成し、天板を金属製の基板受け板材１９をもって構成している。
【００１４】
このハウジング１４の底板１６と天板との間には、一方の側面、即ち基板挿入方向に対して手前側に横長状に開口した基板挿入部１３が形成され、その開口部よりフレキシブル基板１２が基板挿入部１３内に挿入されるようになっている。
【００１５】
また、このハウジング１４の基板挿入部１３の手前側には、基板挿入部１３と連続配置に基板支持部２０が備えられ、基板挿入部１３に挿入されるフレキシブル基板１２を支持するようになっている。
【００１６】
この基板支持部２０は、底板１６及び両側壁１７，１７により凹溝状に形成され、その両側部には、抜け止め片２２と、抜け止め片２２の前面部より前方に突出し、底板１６と基板挿入間隙２１を介して対向した浮き上がり防止片２３とが設けられている。
【００１７】
ハウジング本体１８は、底板１６の両側及び基板挿入方向奥側の縁より側壁１７，１７…を立ち上げた形状に一体に形成されている。
【００１８】
底板１６は、基板挿入方向手前側、即ち基板支持部２０を構成する部分に段差部２４を設けることにより上面が段状に形成され、段差部２４及びその他の部分の上面、即ち基板挿入部１３の内底面が両側部の傾斜部２５，２５を介して連続している。
【００１９】
段差部２４は、底板の他の部分に比べて厚く、即ち、基板挿入部１３の底面より高く形成され、その上面後端の両側部には、基板保持部２１を構成する抜け止め片２２，２２が一体に形成されている。
【００２０】
また、この段差部２４は、コンタクト１５，１５…を保持するようになっている。
【００２１】
底板１６の中央部には、接触回避用孔２６が形成され、この接触回避用孔２６の内側縁に段差部２４の端面が露出するようになっている。
【００２２】
基板受け板材１９は、天板部２７と、天板部２７の両側後端部に配置された浮き上がり防止片支持板２８，２８と、天板部２７の両側部に配置された固定片２９，２９と、天板部２７の開口側縁より折り曲げられた導入片３０と、開口部と反対側縁より折り曲げられた補強片３１とを一体に備え、ステンレス材等のシールド性に優れた金属製の板材を折曲加工することにより形成されている。
【００２３】
天板部２７は、基板挿入部１３に対応する位置に内側に凹んだ凹部２７ａが形成され、凹部２７ａの下面とコンタクト１５との間にフレキシブル基板１２を挟持するようになっている。
【００２４】
浮き上がり防止片支持板２８，２８は、側壁１７の上面を覆う細長状に形成され、その後端内側に浮き上がり防止片２３が一体に形成されている。
【００２５】
この浮き上がり防止片２３は、基板受け板材１９をハウジング本体１８に取り付けることにより、抜け止め片２２の前面部より前方に突出し、基板挿入間隙２１を介して底板１６と対向するように配置されている。そして、浮き上がり防止片２３，２３をこのように配置することにより、基板挿入間隙２１に挿入されたフレキシブル基板１２の端子接続部４０後端縁部を浮き上がり不能にするようになっている。
【００２６】
固定片２９は、天板部２７及び浮き上がり防止片支持板２８，２８の側縁より下向きに折り曲げられ、更にその先端側が内側に折り曲げられて固着部３２が形成され、断面Ｌ字型又は逆Ｌ字型をなしている。
【００２７】
固着部３２がハウジングの底面、即ち係止用凹部３３，３３に係止され、天板部２７と固着部３２との間にハウジング本体１８の側部を把持し、ハウジング本体１８に対し基板受け板材１９を固定するようになっている。
【００２８】
尚、固着部３２は、被接続基板１１に形成された固定用パターン１１ｂにはんだにより固着されるようになっており、この固定用パターン１１ｂをグラウンドとすれば、基板受け板材１９は、シールド性の高い金属製板材により構成されているので、高いシールド性を発揮できるようになる。
【００２９】
導入片３０は、斜め上向きに折り曲げられ、その幅が基板挿入部１３の幅より稍短く形成され、基板受け板材１９がハウジング本体１８に固定された際に、導入片３０の両側部には、金属製の基板受け板材の成形の際に生じた呼び込み部及び逃げ部を利用して挿入確認用隙間３４、３４が形成されるようになっている。
【００３０】
補強片３１は、ハウジング本体１８に基板受け板材１９に取り付けられると、基板挿入方向奥側の側壁１７の外面を覆うようになっている。
【００３１】
この基板受け板材１９は、固定片２９，２９によってハウジング本体１８の側部を把持しているので、応力を受けても、ハウジング本体に対し、浮き上がることがなく、また縁部に導入片３０及び補強片３１を備えたことによって補強され、天板部２７が弓なりに変形することも防止できる。
【００３２】
コンタクト１５は、ハウジング１４に保持される取付片部３５と、取付片部３５の一方の端部に支持された端子片部３６と、取付片部３５の他方の端部に支持された斜め上向きの弾性接触片部３７とを備え、銅合金等の導電性材からなる板材を所定の形状に打ち抜き、それを折曲加工することにより形成されている。
【００３３】
取付片部３５は、底板の段差部２４に保持されることによりハウジング１４に固定され、端子片部３６がハウジング１４の端面より外向きに突出し、弾性接触片部３７が段差部２４の接触回避用孔２２内縁部より突出し、且つ基板挿入部１３内に突出するようになっている。
【００３４】
弾性接触片部３７は、取付片部３５の端部より連続した斜め下向きの屈曲部３８を介して取付片部３５と連続した斜め上向きに形成され、先端部にフレキシブル基板１２の端子部と接触する接触部３９が形成されている。
【００３５】
被接続基板１１は、ＰＣＢ等のプリント配線基板をもって構成され、その表面にコンタクト１５の端子片部３６がはんだ等により接続される平行配置のプリント接続端子１１ａ，１１ａ…及び基板受け板材１９の固着部３２がはんだにより固着される固定用パターン１１ｂ，１１ｂがそれぞれ形成されている。
【００３６】
フレキシブル基板１２は、図４に示すように、先端部に端子接続部４０を備え、端子接続部４０の後端側に端子接続部４０より幅の狭い部分４１が連続して形成されている。
【００３７】
端子接続部４０には、コンタクトの弾性接触片部３７が接触する端子パターン４２，４２…がプリント配線により形成されている。
【００３８】
幅狭部４１は、両基板保持部２１，２１間の幅と略同じ幅に形成され、端子接続部４０の後端縁には、基板保持部２１，２１に保持される被保持部４３，４３が形成されている。
【００３９】
このように構成されたフレキシブル基板用コネクタ１０にフレキシブル基板１２を接続させるには、まず、フレキシブル基板１２の端子接続部４０を基板挿入部１３に挿入する。
【００４０】
このとき、フレキシブル基板１２の端子接続部４０は、両抜け止め片２２，２２間の隙間より広い為、図２中点線で示すように、両抜け止め片２２及び浮き上がり防止片２３を避けて基板挿入部１３の開口部と浮き上がり防止片２３，２３との間の部分から導入片３０に沿って挿入する。
【００４１】
そして、端子接続部４０の後端縁の位置が浮き上がり防止片２３，２３の前端縁より奥側となる位置まで挿入されると、各コンタクト１５，１５…の弾性接触片部３７が端子接続部４０の端子パターン４２に弾性的に接触するとともに、フレキシブル基板１２の幅狭部４１が両抜け止め片２２，２２間に底板１６に沿って配置される。
【００４２】
更に、フレキシブル基板１２を底板１６に沿わせた状態で抜き去り方向に移動させると、各コンタクト１５，１５…の弾性接触片部３７が端子接続部４０の端子パターン４２に弾性的に接触した状態を維持しつつ、端子接続部４０の後端縁部、即ち被保持部４３，４３が基板挿入間隙２１に挿入され、抜け止め片２２に当接して抜け止めされるとともに浮き上がり防止片２３，２３と底板１６との間に浮き上がり不能に保持される。
【００４３】
これにより、フレキシブル基板１２がコネクタ１０に確実に保持されるとともに的確に位置決めがなされ、高い接触信頼性が得られる。更には、フレキシブル基板１２の端子接続部４０の後縁部を基板挿入間隙２１，２１に嵌め込む動作によりフレキシブル基板１２のコネクタ１０に対する実装を確認することができる。
【００４４】
尚、上述の実施例では、抜け止め片２２と浮き上がり防止片２３とを別個に形成した例について説明したが、抜け止め片２２と浮き上がり防止片２３とを一体に形成してもよい。
【００４５】
また、上述の実施例では、フレキシブル基板の端子接続部４０より後側の部分を端子接続部４０より幅を狭く形成した例について説明したが、両側部に切欠きを設け一部のみを狭くするようにしてもよい。
【図面の簡単な説明】
【００４６】
【図１】本発明に係るフレキシブル基板用コネクタの使用状態の一例を示す部分破断平面図である。
【図２】図１中のＡ−Ａ線拡大断面図である。
【図３】同上のフレキシブル基板用コネクタの部分破断正面図である。
【図４】図１中のフレキシブル基板の一例を示す平面図である。
【符号の説明】
【００４７】
１０  フレキシブル基板用コネクタ
１１  被接続基板
１２  フレキシブル基板
１３  基板挿入部
１４  ハウジング
１５  コンタクト
１６  底板
１７  側壁
１８  ハウジング本体
１９  基板受け板材
２０  基板支持部
２１  基板挿入間隙
２２  抜け止め片
２３  浮き上がり防止片
２４  段差部
２５  傾斜部
２６  接触回避用孔
２７  天板部
２８  浮き上がり防止片支持板
２９  固定片
３０  導入片
３１  補強片
３２  固着部
３３  係止用凹部
３４  挿入確認用隙間
３５  取付片部
３６  端子片部
３７  弾性接触片部
３８  屈曲部
３９  接触部
４０  端子接続部
４１  幅狭部
４２  端子パターン
４３  被保持部
【図１】
2006313654.tif 000003
【図２】
2006313654.tif 000004
【図３】
2006313654.tif 000005
【図４】
2006313654.tif 000006